(57)【特許請求の範囲】
【請求項１】
ハウジングに内蔵された電動モータと、
前記ハウジングに着脱可能に取り付けられて、前記電動モータの電源として用いられるバッテリパックと、
前記ハウジングの前部から前方に突出して設けたガイドバーと、
前記ガイドバーの外周に回転可能に張設されて、前記電動モータの駆動によって前記ガイドバーの外周を回転するソーチェーンと、
前記ハウジングの後部または上部にて作業者の一方の手で把持する前後方向に延出した第１グリップ部を有して、前記第１グリップ部に前記電動モータを駆動させるスイッチを配設した第１ハンドルと、
前記第１ハンドルの第１グリップ部より前側にて作業者の他方の手で把持する横方向に延出した第２グリップ部を有する第２ハンドルと、
を備えたチェーンソーであって、
前記バッテリパックのエネルギー残量を表示する表示部と、
前記表示部に前記エネルギー残量を表示させる表示ボタンをさらに備え、
前記表示ボタンを前記第２グリップ部を把持した状態の前記他方の手の指によって操作可能な範囲に設け、
前記第１グリップを前記一方の手で把持し、かつ、前記第２グリップを前記他方の手で把持して、前記チェーンソーを持ち上げている状態において、前記表示ボタンを前記他方の手の指によって操作可能であることを特徴とするチェーンソー。
【請求項２】
請求項１に記載のチェーンソーにおいて、
前記表示ボタンを前記操作可能な範囲として前記第２グリップ部を把持した状態の前記他方の手の親指または人差し指の届く範囲に設けたことを特徴とするチェーンソー。
【請求項３】
請求項１または２に記載のチェーンソーにおいて、
前記表示ボタンを前記操作可能な範囲として前記第２グリップ部から１０ｃｍの範囲に設けたことを特徴とするチェーンソー。
【請求項４】
請求項１〜３の何れか１項に記載のチェーンソーにおいて、
前記表示ボタンを前記操作可能な範囲として前記第２グリップ部に設けたことを特徴とするチェーンソー。
【請求項５】
請求項１〜４の何れか１項に記載のチェーンソーにおいて、
前記バッテリパックに前記表示ボタンを設けたときに、
前記表示ボタンが前記第２グリップ部を把持した状態の前記他方の手の指によって操作可能な範囲となる位置となるように、前記バッテリパックを前記第２グリップ部に近接する位置で前記ハウジングに配置したことを特徴とするチェーンソー。
【請求項６】
請求項１〜５の何れか１項に記載のチェーンソーにおいて、
前記表示部と前記表示ボタンとを互いに近接した位置に配置したことを特徴とするチェーンソー。
【請求項７】
請求項１〜５の何れか１項に記載のチェーンソーにおいて、
前記表示部と前記表示ボタンとを互いに離間した位置に配置したことを特徴とするチェーンソー。
【発明の詳細な説明】
【技術分野】
【０００１】
本発明はバッテリパックを電源として駆動する電動モータによりソーチェーンをガイドバーの外周に沿って回転させるチェーンソーに関し、バッテリパックのエネルギー残量を表示するようにしたチェーンソーに関する。
【背景技術】
【０００２】
特許文献１には、電動モータの駆動によってソーチェーンをガイドバーの周囲に沿って回転させるチェーンソーが開示されている。このチェーンソーは電動モータを内蔵したハウジングの後部にバッテリパックが着脱可能に取り付けられ、電動モータはバッテリパックからの給電によって駆動するようになっている。また、このチェーンソーは、ハウジングの後部にてバッテリパックの後側に作業者の一方の手で把持する前後方向に延出したグリップ部を有したリアハンドルと、ハウジングの前部にてバッテリパックの前側に作業者の他方の手で把持する横方向に延出したグリップ部を有したフロントハンドルとを備えている。リアハンドルのグリップ部には電動モータを駆動させるトリガスイッチが設けられており、電動モータはトリガスイッチを引くことによってバッテリパックの給電を受けて駆動する。
【０００３】
このチェーンソーを木材等の切断作業に使用するときには、作業者は一方の手でリアハンドルのグリップ部を把持するとともに他方の手でフロントハンドルのグリップ部を把持する。リアハンドルのグリップ部を把持した作業者の一方の手の人差し指でトリガスイッチを引くことによって、電動モータを駆動させてソーチェーンをガイドバーの外周に沿って回転させ、ガイドバーの外周を回転するソーチェーンを丸太等の木材に押しつけて丸太等の木材を切断するようにする。
【先行技術文献】
【特許文献】
【０００４】
【特許文献１】特開２０１０−２０８３２９号公報
【発明の概要】
【発明が解決しようとする課題】
【０００５】
特許文献１のチェーンソーにおいては、バッテリパックの上面にはバッテリパックのエネルギー残量の表示ランプと、この表示ランプにエネルギー残量を表示させる表示ボタンが設けられており、表示ランプは表示ボタンの押動操作によってバッテリパックのエネルギー残量を表示する。バッテリパックはハウジングにおけるリアハンドルとフロントハンドルの間に取り付けられていて、バッテリパックの表示ボタンはリアハンドルのグリップ部またはフロントハンドルのグリップ部を把持した状態の作業者の各手指では届かない位置に配置されていた。このため、作業者がリアハンドルのグリップ部とフロントハンドルのグリップ部とを左右の手で把持した状態でバッテリパックの表示ボタンを操作することができず、チェーンソーを地面や支持台に一時的に載置してからでないとバッテリパックの表示ボタンを押動操作することができず、バッテリパックのエネルギー残量を表示させる操作性が良くない問題があった。
【０００６】
この問題に対応するために、例えばハウジングのリアハンドルの近傍にバッテリパックのエネルギー残量を表示する表示ボタンを設けることも検討されている。しかし、リアハンドルのグリップ部には電動モータを駆動させるトリガスイッチが設けられており、リアハンドルを把持した状態の手の指でリアハンドルのグリップ部のトリガスイッチの操作と表示ボタンの操作との両方をすると、トリガスイッチの操作または表示ボタンの操作で誤操作をする可能性があり、ハウジングのリアハンドルの近傍に表示ボタンを設けるのは適切でなかった。本発明は、バッテリパックのエネルギー残量を表示するようにしたチェーンソーにおいて、作業者が左右の手でチェーンソーのハンドルの各グリップを把持した状態で誤操作をすることなくバッテリパックのエネルギー残量を表示させることをできるようにすることを目的とする。
【課題を解決するための手段】
【０００７】
上記課題を解決するために、本発明は、ハウジングに内蔵された電動モータと、ハウジングに着脱可能に取り付けられて、電動モータの電源として用いられるバッテリパックと、ハウジングの前部から前方に突出して設けたガイドバーと、ガイドバーの外周に回転可能に張設されて、電動モータの駆動によってガイドバーの外周を回転するソーチェーンと、ハウジングの後部または上部にて作業者の一方の手で把持する前後方向に延出した第１グリップ部を有して、第１グリップ部に電動モータを駆動させるスイッチを配設した第１ハンドルと、第１ハンドルの第１グリップ部より前側にて作業者の他方の手で把持する横方向に延出した第２グリップ部を有する第２ハンドルとを備えたチェーンソーであって、バッテリパックのエネルギー残量を表示する表示部と、表示部にエネルギー残量を表示させる表示ボタンをさらに備え、表示ボタンを第２グリップ部を把持した状態の他方の手の指によって操作可能な範囲に設けたことを特徴とするチェーンソーを提供するものである。
【０００８】
上記のように構成したチェーンソーにおいては、表示ボタンを第２グリップ部を把持した状態の他方の手の指によって操作可能な範囲に設けたので、作業者が一方の手で第１ハンドルの第１グリップ部を把持するとともに他方の手で第２ハンドルの第２グリップ部を把持してチェーンソーを持ち上げた状態で、第２グリップ部を把持した作業者の他方の手の指で表示ボタンを操作することができるようになり、バッテリパックのエネルギー残量を表示させる操作性を良くすることができた。これにより、チェーンソーを左右の手で各ハンドルの各グリップ部を把持して持ち上げた状態から地面や支持台に載置せずに、バッテリパックのエネルギー残量を確認することができ、チェーンソーの木材等の切断作業の中断時間を短くすることができるようになった。
【０００９】
上記のように構成したチェーンソーにおいては、表示ボタンを操作可能な範囲として第２グリップ部を把持した状態の他方の手の特に親指または人差し指の届く範囲に設けるのが好ましい。また、表示ボタンを操作可能な範囲として第２グリップ部から１０ｃｍの範囲に設けるのが好ましい。さらに、チェーンソーの一実施形態として、表示ボタンを操作可能な範囲として第２グリップ部に設けてもよい。
【００１０】
また、上記のように構成したチェーンソーにおいては、バッテリパックに表示ボタンを設けたときに、表示ボタンが第２グリップ部を把持した状態の他方の手の指によって操作可能な範囲となる位置となるように、バッテリパックを第２グリップ部に近接する位置でハウジングに配置するのが好ましい。
【００１１】
上記のように構成したチェーンソーにおいては、表示部と表示ボタンとを互いに近接した位置に配置したときには、表示ボタンを押動操作した視線を動かさずに表示ランプによってバッテリパックのエネルギー残量を確認することができる。また、上記のように構成したチェーンソーにおいては、表示部と表示ボタンとを互いに離間した位置に配置したときには、表示ボタンを特に操作性の良い位置に配設することが可能となる。
【図面の簡単な説明】
【００１２】
【図１】本発明のチェーンソーの斜視図である。
【図２】図１の右側面図である。
【図３】図１の平面図である。
【図４】表示ランプ及び表示ボタンをフロントグリップ部より前側に設けた実施形態のチェーンソーの平面図である。
【図５】表示ボタンをフロントグリップ部に設けた実施形態のチェーンソーの平面図である。
【図６】バッテリパックの上面に表示ランプと表示ボタンと設けた実施形態のチェーンソーの平面図である。
【図７】トップハンドル型のチェーンソーの斜視図である。
【図８】図７の平面図である。
【図９】表示ボタンをフロントグリップ部に設けた実施形態のトップハンドル型のチェーンソーの平面図である。
【発明を実施するための最良の形態】
【００１３】
以下、本発明のチェーンソーの一実施形態を添付図面を参照して説明する。図１及び図２に示したように、チェーンソー１０はハウジング１１の前部に電動モータ２０を内蔵しており、ハウジング１１の後部に電動モータ２０の電源として用いる左右一対のバッテリパック２５を着脱可能に備えている。ハウジング１１の側面前部には前方に突出するガイドバー２１が設けられている。ハウジング１１の側面前部にはガイドバー２１の後側に電動モータ２０の駆動軸２０ａが突出しており、駆動軸２０ａにはスプロケット２２が固定されている。ガイドバー２１の外周とスプロケット２２の間にはソーチェーン２３が張設されており、ソーチェーン２３は電動モータ２０の駆動によって回転するスプロケット２２によってガイドバー２１の外周を回転する。なお、電動モータ２０の駆動軸２０ａ、ガイドバー２１の基端部及びスプロケット２２はハウジング１１の右側面前部に設けたスプロケットカバーに覆われている。ハウジング１１の後部にはバッテリパック２５の取付部２４が設けられており、この取付部２４の左右両側には上述した左右一対のバッテリパック２５が着脱可能に取り付けられる。
【００１４】
図１〜図３に示したように、ハウジング１１の後部にはバッテリパック２５の後側にリアハンドル（第１ハンドル）１２が一体的に設けられている。リアハンドル１２は後側が閉じられるように倒れたＵ字形をしており、リアハンドル１２の上部は作業者の一方の手で把持する前後方向に延出するリアグリップ部（第１グリップ部）１２ａとなっている。リアハンドル１２のリアグリップ部１２ａの下面には電動モータ２０を駆動させるトリガスイッチ（スイッチ）１３が設けられており、電動モータ２０はトリガスイッチ１３を引くことでバッテリパック２５の給電を受けて駆動する。
【００１５】
図１〜図３に示したように、ハウジング１１の前部にはバッテリパック２５の前側にフロントハンドル（第２ハンドル）１４が設けられている。フロントハンドル１４はハウジング１１の前部にて左右両側壁を跨ぐように取り付けられており、フロントハンドル１４の上部は作業者の他方の手で把持する横方向（左右方向）に延出したフロントグリップ（第２グリップ）１４ａとなっている。
【００１６】
図１〜図３に示したようにハウジング１１の前後方向の中間部にはバッテリパック２５の取付部２４の前側に上方に突き出る突出部１５が形成され、突出部１５の上面にはバッテリパック２５のエネルギー残量を表示する左右一対の表示ランプ（表示部）３０と、表示ランプ３０にエネルギー残量を表示させる表示ボタン３１とが設けられている。図１及び図３（特に図３）に示したように、表示ランプ３０は３つのセグメントランプ３０ａ〜３０ｃを備え、バッテリパック２５のエネルギー残量が２／３以上であれば、セグメントランプ３０ａ〜３０ｃが点灯し、バッテリパック２５のエネルギー残量が１／３〜２／３であれば、セグメントランプ３０ａ，３０ｂが点灯し、バッテリパック２５のエネルギー残量が１／３より低くなれば、セグメントランプ３０ａが点灯し、バッテリパック２５のエネルギー残量が０となれば、セグメントランプ３０ａ〜３０ｃの全てが消灯する。
【００１７】
図３に示したように、表示ボタン３１はフロントハンドル１４のフロントグリップ部１４ａを把持した状態の他方の手の指によって操作可能な範囲に設けられている。具体的には、フロントグリップ部１４ａを他方の手（図３では左手で示す）ＬＨの少なくとも中指、薬指及び小指で握った状態で、表示ボタン３１は他方の手の親指が届いて操作可能な範囲に設けられている。一方の手でリアハンドル１２を把持するとともに他方の手ＬＨでフロントハンドル１４を把持してチェーンソー１０の荷重を支持するときには、他方の手ＬＨでは少なくとも中指、薬指及び小指でフロントハンドル１４のフロントグリップ部１４ａを握った状態であることが好ましい。このようにフロントグリップ部１４ａを他方の手ＬＨで把持した状態では、他方の手ＬＨの人差し指及び親指を自由に動かすことできるようになっており、この実施形態では、表示ボタン３１を他方の手ＬＨの親指が届いて操作可能な範囲に設けている。
【００１８】
上記のように構成したチェーンソー１０を木材等の切断作業に使用するときには、作業者は例えば一方の手として右手でリアハンドル１２のリアグリップ部１２ａを把持するとともに他方の手として左手でフロントハンドル１４のグリップ部１４ａを把持する。リアハンドル１２のリアグリップ部１２ａを把持した作業者の右手の人差し指でトリガスイッチ１３を引くことによって、電動モータ２０を駆動させてソーチェーン２３をガイドバー２１の外周に沿って回転させ、ガイドバー２１の外周を回転するソーチェーン２３を丸太等の木材に押しつけて丸太等の木材を切断するようにする。
【００１９】
このように構成したチェーンソー１０においては、ハウジング１１の前後方向の中間部の突出部１５の上面にバッテリパック２５のエネルギー残量を表示する左右一対の表示ランプ（表示部）３０と、表示ランプ３０にエネルギー残量を表示させる表示ボタン３１とが設けられている。図３に示したように、表示ボタン３１はフロントハンドル１４のフロントグリップ部１４ａを把持した状態の作業者の他方の手（図３では左手で示す）ＬＨの指によって操作可能な範囲に設けられている。作業者が一方の手でリアハンドル１２のリアグリップ部１２ａを把持するとともに他方の手ＬＨでフロントハンドル１４のフロントグリップ部１４ａを把持してチェーンソー１０を持ち上げ、フロントグリップ部１４ａを把持した作業者の他方の手ＬＨの指で表示ボタン３１を操作することができる。これにより、チェーンソー１０を上記のように左右の手で各ハンドル１２，１４の各グリップ部１２ａ，１４ａを把持して持ち上げた状態から地面や支持台に載置せずに、バッテリパック２５のエネルギー残量を確認することができ、チェーンソー１０の木材の切断作業の中断時間を短くすることができるようになった。
【００２０】
また、表示ボタン３１は、リアハンドル１２のリアグリップ部１２ａを把持した作業者の一方の手の指によって操作可能な範囲ではなく、フロントハンドル１４のフロントグリップ部１４ａを把持した状態の作業者の他方の手ＬＨの指によって操作可能な範囲に設けられている。作業者は一方の手でリアグリップ部１２ａを把持しながらトリガスイッチ１３を操作し、一方の手と異なる他方の手ＬＨでフロントグリップ部１４ａを把持しながら表示ボタン３１を操作するようになる。これによって、作業者は片一方の手の指でトリガスイッチ１３と表示ボタン３１の両方の操作をしなくてよくなり、片一方の手で操作するときのようにトリガスイッチ１３と表示ボタン３１の誤操作を招くおそれを減らすことができた。
【００２１】
この実施形態では、表示ボタン３１をフロントハンドル１４のフロントグリップ部１４ａより後側にて、フロントグリップ部１４ａを把持した状態の作業者の他方の手ＬＨの親指によって操作可能な範囲に設けた。本発明はこれに限られるものでなく、図４に示したように、突出部１５をハウジング１１におけるフロントハンドル１４のフロントグリップ部１４ａより前側に設けるようにしてもよい。このようにしたときには、表示ボタン３１をフロントハンドル１４のフロントグリップ部１４ａより前側にて、フロントグリップ部１４ａを把持した状態の作業者の他方の手ＬＨの人差し指によって操作可能な範囲とすることができる。
【００２２】
同様に、図５に示したように、表示ボタン３１をフロントハンドル１４のフロントグリップ部１４ａに設けるようにしてもよい。このようにしたときには、表示ボタン３１をフロントグリップ部１４ａを把持した状態の作業者の他方の手ＬＨの親指によって操作可能な範囲とすることができる。図３〜図５に示した各実施形態では、表示ボタン３１をフロントハンドル１４のフロントグリップ部１４ａから他方の手ＬＨの指の届く範囲として１０ｃｍの範囲に設けるようにしている。表示ボタン３１をフロントグリップ部１４ａから他方の手ＬＨの指の届く範囲として１０ｃｍの範囲に設けるようにしてれば、他方の手ＬＨでフロントグリップ部１４ａを把持した状態で、他方の手ＬＨの何れかの指が表示ボタン３１に操作可能に届くようになる。
【００２３】
図３及び図４に示したように、表示ボタン３１を表示ランプ３０に近接した位置に配置したときには、表示ボタン３１を押動操作した視線を動かさずに表示ランプ３０によってバッテリパック２５のエネルギー残量を確認することができる。また、図５に示したように、表示ボタン３１を表示ランプ３０から離間した位置に配置したときには、表示ボタン３１を特に操作性の良い位置に配設することが可能となる。
【００２４】
さらに、図６に示したように、バッテリパック２５の上面に表示ランプ３０と表示ボタン３１とを設けたときには、表示ボタン３１がフロントハンドル１４のフロントグリップ部１４ａを把持した状態の他方の手ＬＨの指によって操作可能な範囲となるように、バッテリパック２５をフロントグリップ１４ａに近接する位置でハウジング１１に配置すればよい。具体的には、バッテリパック２５をハウジング１１のフロントグリップ部１４ａの直ぐ後側の位置に配置するとともに、表示ボタン３１がフロントグリップ部１４ａ側を向くように、バッテリパック２５の上面を前方に傾けるようにしている。このように配置したことで、表示ボタン３１をフロントハンドル１４のフロントグリップ部１４ａを把持した状態の他方の手ＬＨの指によって操作可能な範囲とすることができた。
【００２５】
上記の各実施形態のチェーンソーはハウジング１１の後部にリアハンドル１２を設けたリアハンドル型のチェーンソーであるが、本発明はこのリアハンドル型のチェーンソーに限られるものでなく、他の実施形態として、図７に示したように、ハウジング１１の上部にトップハンドル（第１ハンドル）１２Ａを設けたトップハンドル型のチェーンソーにも適用されるものである。
【００２６】
具体的には、トップハンドル型のチェーンソー１０Ａは、ハウジング１１に内蔵された電動モータ２０と、ハウジング１１の後部に着脱可能に取り付けられて、電動モータ２０の電源として用いられる２つのバッテリパック２５と、ハウジング１１の前部から前方に突出して設けたガイドバー２１と、ガイドバー２１の外周に回転可能に張設されて、電動モータ２０の駆動によってガイドバー２１の外周を回転するソーチェーン２３とを備えている。このチェーンソー１０Ａは、ハウジング１１の上部にて作業者の一方の手で把持する前後方向に延出したトップグリップ部（第１グリップ部）１２Ａａを有して、トップグリップ部１２Ａａに電動モータ２０を駆動させるトリガスイッチ１３を配設したトップハンドル（第１ハンドル）１２Ａと、トップハンドル１２Ａのトップグリップ部１２Ａａより前側にて作業者の他方の手で把持する横方向に延出したフロントグリップ部１４ａを有するフロントハンドル１４とを備えている。
【００２７】
このトップハンドル型のチェーンソー１０Ａにおいては、ハウジング１１は前後方向の中間部に左側面から左方に突出するモータ収容部１１ａを備えており、モータ収容部１１ａには電動モータ２０が収容されている。図７及び図８に示したように、モータ収容部１１ａの上面にはバッテリパック２５のエネルギー残量を表示する表示ランプ３０と表示ボタン３１が設けられている。表示ボタン３１はフロントハンドル１４のフロントグリップ部１４ａを把持した状態の他方の手ＬＨの指によって操作可能な範囲に設けられている。このようにトップハンドル型のチェーンソー１０Ａにおいても、表示ボタン３１がフロントハンドル１４のフロントグリップ部１４ａを把持した状態の他方の手ＬＨの指（特に親指）によって操作可能な範囲に設けられているので、作業者が一方の手でトップハンドル１２Ａのトップグリップ部１２Ａａを把持するとともに他方の手ＬＨでフロントハンドル１４のフロントグリップ部１４ａを把持してチェーンソー１０Ａを持ち上げた状態で、フロントグリップ部１４ａを把持した作業者の他方の手ＬＨの指で表示ボタン３１を操作することができる。これにより、チェーンソー１０を左右の手で各ハンドル１２Ａ，１４の各グリップ部１２Ａａ，１４ａを把持した状態から地面や支持台に載置せずに、バッテリパック２５のエネルギー残量を確認することができ、チェーンソー１０の木材の切断作業の中断時間を短くすることができるようになった。
【００２８】
また、表示ボタン３１は、トップハンドル１２Ａのトップグリップ部１２Ａａを把持した作業者の一方の手の指によって操作可能な範囲でなく、フロントハンドル１４のフロントグリップ部１４ａを把持した状態の作業者の他方の手ＬＨの指によって操作可能な範囲に設けられている。作業者は一方の手でトップグリップ部１２Ａａを把持しながらトリガスイッチ１３を操作し、一方の手と異なる他方の手ＬＨでフロントグリップ部１４ａを把持しながら表示ボタン３１を操作するようになる。これによって、作業者は片一方の手の指でトリガスイッチ１３と表示ボタン３１の両方の操作をしなくてよくなり、片一方の手で操作するときのようにトリガスイッチ１３と表示ボタン３１の誤操作を招くおそれを減らすことができた。
【００２９】
また、図９に示したように、トップハンドル型のチェーンソー１０Ａにおいても、図５に示したリアハンドル型のチェーンソーと同様に、表示ボタン３１をフロントハンドル１４のフロントグリップ部１４ａに設けることで、表示ボタン３１をフロントグリップ部１４ａを把持した状態の作業者の他方の手ＬＨの親指によって操作可能な範囲に設けるようにしたものであってもよい。また、トップハンドル型のチェーンソー１０Ａにおいても、表示ボタン３１をフロントハンドル１４のフロントグリップ部１４ａから他方の手ＬＨの指の届く範囲として１０ｃｍの範囲に設けるようにするのが好ましい。トップハンドル型のチェーンソー１０Ａにおいても、表示ボタン３１を表示ランプ３０に近接した位置に配置してもよいし、表示ボタン３１を表示ランプ３０から離間した位置に配置してもよい。さらに、バッテリパック２５の上面に表示ランプ３０と表示ボタン３１とを設けたときには、表示ボタン３１がフロントハンドル１４のフロントグリップ部１４ａを把持した状態の他方の手の指によって操作可能な範囲となるように、バッテリパック２５をフロントグリップ部１４ａに近接する位置でハウジング１１に配置すればよい。
【００３０】
上記の各実施形態では、チェーンソー１０の電動モータ２０を駆動させる電源とした２つのバッテリパック２５を用いたが、本発明はこれに限られるものでなく、バッテリパック２５を１つまたは３つ以上としたものであってもよく、このようにしたときにも上述したのと同様の作用効果を得ることができる。
【００３１】
上記の各実施形態では、フロントハンドル１４のフロントグリップ部１４ａを把持する手を作業者の左手で説明したが、これに限られるものでなく、フロントハンドル１４のフロントグリップ部１４ａを作業者の右手で把持したときであってもよい。
【００３２】
上記の各実施形態では、表示部とした表示ランプ３０は３つのセグメントランプ３０ａ〜３０ｃを備え、これらのセグメントランプ３０ａ〜３０ｃを点灯させた数に応じてバッテリパック２５のエネルギー残量を表示するようにしている。本発明はこれに限られるものでなく、セグメントランプの数を多くまたは少なくしてもよいし、エネルギー残量を割合（例えばｘ％）で表示してもよい。また、表示ランプを１つにしたときには、電動モータ２０を十分に駆動させることができるエネルギーが残っているときに表示ランプを点灯させ、電動モータ２０を駆動させるには不十分なエネルギー残量となると表示ランプを点滅させるようにしてもよい。
【符号の説明】
【００３３】
１０…チェーンソー、１１…ハウジング、１２…第１ハンドル（リアハンドル）、１２ａ…第１グリップ部（リアグリップ部）、１２Ａ…第１ハンドル（トップハンドル）、１２Ａａ…第１グリップ部（トップグリップ部）、１３…スイッチ（トリガスイッチ）、１４…第２ハンドル（フロントハンドル）、１４ａ…第２グリップ部（フロントグリップ部）、２０…電動モータ、２１…ガイドバー、２３…ソーチェーン、２５…バッテリパック、３０…表示部（表示ランプ）、３１…表示ボタン。
【図１】
0006397716.tif 000002
【図２】
0006397716.tif 000003
【図３】
0006397716.tif 000004
【図４】
0006397716.tif 000005
【図５】
0006397716.tif 000006
【図６】
0006397716.tif 000007
【図７】
0006397716.tif 000008
【図８】
0006397716.tif 000009
【図９】
0006397716.tif 000010